(57)【特許請求の範囲】
【請求項１】
移動局のためのネットワーク選択方法であって、
該方法は、
受信範囲内の複数の通信ネットワークを識別することであって、該移動局は該受信範囲内で動作する、ことと、
非ホーム通信ネットワークを選択し、該非ホーム通信ネットワークと動作することと、
該非ホーム通信ネットワークを用いて、受信不可能範囲状態から信号受信可能範囲を回復したことに応答して、または、該非ホーム通信ネットワークと動作している間に該移動局によって電源オフ状態に入った場合において、電源オフ状態から電源オンに入ったことに応答して、
該移動局のホーム通信ネットワークが利用可能であると識別された場合に、該ホーム通信ネットワークを選択し、該ホーム通信ネットワークと動作するアクトと、
該移動局のホーム通信ネットワークが利用可能であるとは識別されず、該ホーム通信ネットワークが利用不可能であり、該非ホーム通信ネットワークが利用可能であると識別された場合に、該非ホーム通信ネットワークを選択し、該非ホーム通信ネットワークと動作するアクトと、
該移動局のホーム通信ネットワークが利用可能であるとは識別されず、該非ホーム通信ネットワークが利用不可能である場合に、自動ネットワーク選択方法に従って、代替の通信ネットワークを選択し、該代替の通信ネットワークと動作するアクトと
を実行することと
を包含する、方法。
【請求項２】
前記非ホーム通信ネットワークは、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項１に記載の方法。
【請求項３】
前記ホーム通信ネットワークは、前記移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項１に記載の方法。
【請求項４】
前記代替の通信ネットワークを選択し、該代替の通信ネットワークと動作するアクトは、代替の非ホーム通信ネットワークの優先順位をつけられたネットワークリストを用いて実行される、請求項１に記載の方法。
【請求項５】
前記識別するアクトは、前記受信可能範囲エリアにおいて利用可能なそれぞれの通信ネットワークに対して、ＭＣＣ（Ｍｏｂｉｌｅ  Ｃｏｕｎｔｒｙ  Ｃｏｄｅ）とＭＮＣ（Ｍｏｂｉｌｅ  Ｎｅｔｗｏｒｋ  Ｃｏｄｅ）との対を受信するさらなるアクトを包含する、請求項１に記載の方法。
【請求項６】
前記ホームおよび非ホーム通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項１に記載の方法。
【請求項７】
移動局であって、
無線送受信装置と、
該無線送受信装置に結合されているアンテナと、
加入者識別モジュールを受信するように適合されたインターフェースであって、該加入者識別モジュールには、ホームネットワークの識別と、代替の非ホーム通信ネットワークの優先順位をつけられたネットワークリストとが格納されている、インターフェースと、
該無線送受信装置および該インターフェースに結合されている１つ以上のプロセッサと
を備え、
該１つ以上のプロセッサは、
受信範囲内の複数の通信ネットワークを識別することであって、該移動局は該受信範囲内で動作する、ことと、
非ホーム通信ネットワークを選択し、該非ホーム通信ネットワークと動作することと、
該非ホーム通信ネットワークを用いて、受信不可能範囲状態から信号受信可能範囲を回復したことに応答して、または、該非ホーム通信ネットワークと動作している間に該移動局によって電源オフ状態に入った場合において、電源オフ状態から電源オンに入ったことに応答して、
該ホーム通信ネットワークの識別に対応するホーム通信ネットワークが利用可能であると識別された場合に、該ホーム通信ネットワークを選択し、該ホーム通信ネットワークと動作するアクトと、
該ホーム通信ネットワークの識別に対応するホーム通信ネットワークが利用可能であるとは識別されず、該ホーム通信ネットワークが利用不可能であり、該非ホーム通信ネットワークが利用可能であると識別された場合に、該非ホーム通信ネットワークを選択し、該非ホームネットワークと動作するアクトと、
該ホーム通信ネットワークの識別に対応するホーム通信ネットワークが利用可能であるとは識別されず、該非ホーム通信ネットワークが利用不可能である場合に、自動ネットワーク選択方法に従って、代替の通信ネットワークを選択し、該代替の通信ネットワークと動作するアクトと
が実行されるようにすることと
によって通信ネットワークと動作するように、通信ネットワークを選択するように構成されている、移動局。
【請求項８】
前記非ホーム通信ネットワークは、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項７に記載の移動局。
【請求項９】
前記ホーム通信ネットワークは，前記移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項７に記載の移動局。
【請求項１０】
前記代替の通信ネットワークを選択し、該代替の通信ネットワークと動作することは、代替の非ホーム通信ネットワークの優先順位をつけられたネットワークリストを用いて実行される、請求項７に記載の移動局。
【請求項１１】
前記識別することは、前記受信可能範囲エリアにおいて利用可能なそれぞれの通信ネットワークに対して、ＭＣＣ（Ｍｏｂｉｌｅ  Ｃｏｕｎｔｒｙ  Ｃｏｄｅ）とＭＮＣ（Ｍｏｂｉｌｅ  Ｎｅｔｗｏｒｋ  Ｃｏｄｅ）とを受信することを含む、請求項７に記載の移動局。
【請求項１２】
前記ホームおよび非ホーム通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項７に記載の移動局。
【請求項１３】
通信システムであって
第１の通信ネットワークと第２の通信ネットワークとを含む複数の通信ネットワークと、
該第１の通信ネットワークおよび該第２の通信ネットワークと動作可能である１つ以上の移動局と
を備え、
該１つ以上の移動局は、非ホーム通信ネットワークとして指定された該第１の通信ネットワークと、ホーム通信ネットワークとして指定された該第２の通信ネットワークを有し、
各移動局は、
受信範囲内の該複数の通信ネットワークを識別することであって、該移動局は該受信範囲内で動作する、ことと、
該第１の通信ネットワークを選択し、該第１の通信ネットワークと動作することと、
該第１の通信ネットワークを用いて、受信不可能範囲状態から信号受信可能範囲を回復したことに応答して、または、該第１の通信ネットワークと動作している間に該移動局によって電源オフ状態に入った場合において、電源オフ状態から電源オン状態に入ったことに応答して、
該移動局の該第２の通信ネットワークが利用可能であると識別された場合に、該第２の通信ネットワークを選択し、該第２の通信ネットワークと動作するアクトと、
該移動局の該第２の通信ネットワークが利用可能であるとは識別されず、該第２の通信ネットワークが利用不可能であり、該第１の通信ネットワークが利用可能であると識別された場合、該第１の通信ネットワークを選択し、該第１の通信ネットワークと動作するアクトと、
該移動局の該第２の通信ネットワークが利用可能であるとは識別されず、該第２の通信ネットワークが不可能である場合に、自動ネットワーク選択方法に従って、代替の通信ネットワークを選択し、該代替の通信ネットワークと動作するアクトと
が実行されるようにするようにすることと
によって通信ネットワークと動作するように、通信ネットワークを選択するように動作可能である、通信システム。
【請求項１４】
前記第１の通信ネットワークは、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項１３に記載の通信システム。
【請求項１５】
前記第２の通信ネットワークは、前記１つ以上の移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項１３に記載の通信システム。
【請求項１６】
各移動局は、代替の非ホーム通信ネットワークの優先順位をつけられたネットワークリストを用いて、前記代替の通信ネットワークを選択し、該代替の通信ネットワークと動作するようにさらに構成されている、請求項１３に記載の通信システム。
【請求項１７】
前記第１および第２の通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項１３に記載の通信システム。
【請求項１８】
移動局のためのネットワーク選択方法であって、
該方法は、
該移動局の手動ネットワーク選択モードにおいて、該移動局と通信するための非ホーム通信ネットワークを手動で選択するユーザー入力を受信することと、
該ユーザー入力に応答して、該手動で選択された非ホーム通信ネットワークを選択し、該手動で選択された非ホーム通信ネットワークと動作することと、
該手動ネットワーク選択モードの間に、該手動で選択された非ホーム通信ネットワークを用いて、受信不可能範囲状態から信号受信可能範囲を回復したことに応答して、または、該手動ネットワーク選択モードの間に該移動局によって電源オフ状態に入った場合において、電源オフ状態から電源オンに入ったことに応答して、
（ａ）該非ホーム通信ネットワークが利用可能であると識別された場合に、該非ホーム通信ネットワークを選択し、該非ホーム通信ネットワークと動作するアクトと、
（ｂ）該非ホーム通信ネットワークが利用不可能であり、該ホーム通信ネットワークもまた利用不可能である場合に、利用可能な通信ネットワークのうちの１つの手動ネットワーク選択と、該利用可能な通信ネットワークのうちの１つとの動作とのために、手動ネットワーク選択手順に対し、該利用可能な通信ネットワークのリストを表示するアクトと、
（ｃ）該非ホーム通信ネットワークが利用不可能であるが、該ホーム通信ネットワークが利用可能であると識別された場合に、該利用可能な通信ネットワークのうちの１つの該手動ネットワーク選択と、該利用可能な通信ネットワークのうちの１つとの動作のために、該手動ネットワーク選択手順を実行する代わりに、該ホーム通信ネットワークを選択し、該ホーム通信ネットワークと動作するアクトと
が実行されるようにすることと
を包含する、方法。
【請求項１９】
前記ホーム通信ネットワークは、前記移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項１８に記載の方法。
【請求項２０】
前記非ホーム通信ネットワークは、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項１８に記載の方法。
【請求項２１】
前記ホームおよび非ホーム通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項１８に記載の方法。
【請求項２２】
前記手動ネットワーク選択手順に対する視覚入力プロンプトに応答して、前記利用可能な通信ネットワークを手動で選択するユーザー入力を受信することと、
該ユーザー入力に応答して、該利用可能な通信ネットワークを登録することと
をさらに包含する、請求項１８に記載の方法。
【請求項２３】
移動局であって、
ユーザーインタフェースと、
無線送受信装置と、
該無線送受信装置に結合されているアンテナと、
該無線送受信装置に結合されている１つ以上のプロセッサと
を備え、
該１つ以上のプロセッサは、
該移動局の手動ネットワーク選択モードにおいて、該移動局との通信に対する非ホーム通信ネットワークを手動で選択するユーザー入力を該ユーザーインタフェースから受信し、該ユーザー入力に応答して、該手動で選択された非ホーム通信ネットワークを選択し、該手動で選択された非ホーム通信ネットワークと動作し、
該手動ネットワーク選択モードの間に、該手動で選択された非ホーム通信ネットワークを用いて、受信不可能範囲状態から信号受信可能範囲を回復したことに応答して、または、該手動ネットワーク選択モードの間に該移動局によって電源オフ状態に入った場合において、電源オフ状態から電源オンに入ったことに応答して、
（ａ）該非ホーム通信ネットワークが利用可能であると識別された場合に、該非ホーム通信ネットワークを選択し、該非ホーム通信ネットワークと動作するアクトと、
（ｂ）該非ホーム通信ネットワークが利用不可能であり、該ホーム通信ネットワークもまた利用不可能である場合に、利用可能な通信ネットワークのうちの１つの手動ネットワーク選択と、該利用可能な通信ネットワークのうちの１つとの動作とのために、手動ネットワーク選択手順に対し、該利用可能な通信ネットワークのリストを表示するアクトと、
（ｃ）該非ホーム通信ネットワークが利用不可能であるが、該ホーム通信ネットワークが利用可能であると識別された場合に、該利用可能な通信ネットワークのうちの１つの該手動ネットワーク選択と、該利用可能な通信ネットワークのうちの１つとの動作とのために、該手動ネットワーク選択手順を実行する代わりに、該ホーム通信ネットワークを選択し、該ホーム通信ネットワークと動作するアクトと
が実行されるようにすることにより、該通信ネットワークの選択を提供するように構成されている、移動局。
【請求項２４】
前記ホーム通信ネットワークは、前記移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項２３に記載の移動局。
【請求項２５】
前記非ホーム通信ネットワークは、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項２３に記載の移動局。
【請求項２６】
前記ホームおよび非ホーム通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項２３に記載の移動局。
【請求項２７】
前記１つ以上のプロセッサは、
前記手動ネットワーク選択手順に対する視覚入力プロンプトに応答して、前記利用可能な通信ネットワークを手動で選択するユーザー入力を受信し、
該ユーザー入力に応答して、該利用可能な通信ネットワークを登録するようにさらに構成されている、請求項２３に記載の移動局。
【請求項２８】
通信システムであって、
第１の通信ネットワークと、
第２の通信ネットワークと、
該第１の通信ネットワークおよび該第２の通信ネットワークと動作可能である１つ以上の移動局と
を備え、
該１つ以上の移動局は、非ホーム通信ネットワークとして指定された該第１の通信ネットワークと、ホーム通信ネットワークとして指定された該第２の通信ネットワークを有し、
該１つ以上の移動局は、
該移動局の手動ネットワーク選択モードにおける動作のために、該第１の通信ネットワークを手動で選択するユーザー入力を該移動局のユーザーインタフェースから受信し、該ユーザー入力に応答して、該第１の通信ネットワークを選択し、該第１の通信ネットワークと動作することと、
該手動ネットワーク通信モードの間に、該第１の通信ネットワークを用いて、受信不可能範囲状態から信号受信可能範囲を回復したことに応答して、または、該手動ネットワーク通信モードにおいて該移動局によって電源オフ状態に入った場合において、電源オフ状態から電源オンに入ったことに応答して、
該第１の通信ネットワークが利用可能であると識別された場合に、該第１の通信ネットワークを選択し、該第１の通信ネットワークと動作するアクトと、
該第１の通信ネットワークが利用不可能であり、該第２の通信ネットワークもまた利用不可能である場合に、利用可能な通信ネットワークのうちの１つの手動ネットワーク選択と、該利用可能な通信ネットワークのうちの１つとの動作とのために、手動ネットワーク選択手順に対し、該利用可能な通信ネットワークのリストを表示するアクトと、
該第１の通信ネットワークが利用不可能であるが、該第２の通信ネットワークが利用可能であると識別された場合に、該利用可能な通信ネットワークのうちの１つの該手動ネットワーク選択と、該利用可能な通信ネットワークのうちの１つとの動作とのために、該手動ネットワーク選択手順を実行する代わりに、該第２の通信ネットワークを選択し、該第２の通信ネットワークと動作するアクトと
が実行されるように動作可能することと
によって、通信ネットワークの選択を提供するように動作可能である、通信システム。
【請求項２９】
前記第２の通信ネットワークは、前記１つ以上の移動局のＨＰＬＭＮ（Ｈｏｍｅ  Ｐｕｂｌｉｃ  Ｌａｎｄ  Ｍｏｂｉｌｅ  Ｎｅｔｗｏｒｋ）を備えている、請求項２８に記載の通信システム。
【請求項３０】
前記第１の通信ネットワークは、ＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を備えている、請求項２８に記載の通信システム。
【請求項３１】
前記第１および第２の通信ネットワークは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って、動作可能である、請求項２８に記載の通信システム。
【請求項３２】
前記１つ以上の移動局は、
前記手動ネットワーク選択に対する視覚入力プロンプトに応答して、前記利用可能な通信ネットワークを手動で選択するユーザー入力を受信し、
該ユーザー入力に応答して、該利用可能な通信ネットワークを登録するようにさらに動作可能である、請求項２８に記載の通信システム。
【請求項３３】
前記アクトを実行することは、前記非ホーム通信ネットワークを用いて、受信不可能範囲状態から信号受信可能範囲を回復したことに応答して行われる、請求項１に記載の方法。
【請求項３４】
前記アクトを実行することは、前記非ホーム通信ネットワークと動作している間に前記移動局によって電源オフ状態に入った場合において、電源オフ状態から電源オンに入ったことに応答して行われる、請求項１に記載の方法。
【請求項３５】
前記優先順位をつけられたネットワークリストは、ユーザー制御のＰｕｂｌｉｃ  Ｌａｎｄ  Ｍｏｂｉｌｅ  Ｎｅｔｗｏｒｋのリストまたはオペレーター制御のＰｕｂｌｉｃ  Ｌａｎｄ  Ｍｏｂｉｌｅ  Ｎｅｔｗｏｒｋのリストである、請求項４に記載の方法。
【請求項３６】
前記１つ以上のプロセッサは、前記非ホーム通信ネットワークを用いて、受信不可能範囲状態から信号受信可能範囲を回復したことに応答して、前記アクトを実行するように構成されている、請求項７に記載の移動局。
【請求項３７】
前記１つ以上のプロセッサは、前記非ホーム通信ネットワークと動作している間に前記移動局によって電源オフ状態に入った場合において、電源オフ状態から電源オンに入ったことに応答して、前記アクトを実行するように構成されている、請求項７に記載の移動局。
【請求項３８】
前記優先順位をつけられたネットワークリストは、ユーザー制御のＰｕｂｌｉｃ  Ｌａｎｄ  Ｍｏｂｉｌｅ  Ｎｅｔｗｏｒｋのリストまたはオペレーター制御のＰｕｂｌｉｃ  Ｌａｎｄ  Ｍｏｂｉｌｅ  Ｎｅｔｗｏｒｋのリストである、請求項１０に記載の移動局。
【請求項３９】
前記移動局は、前記非ホーム通信ネットワークを用いて、受信不可能範囲状態から信号受信可能範囲を回復したことに応答して、前記アクトを実行するように構成されている、請求項１３に記載の通信システム。
【請求項４０】
前記移動局は、前記非ホーム通信ネットワークと動作している間に該移動局によって電源オフ状態に入った場合において、電源オフ状態から電源オンに入ったことに応答して、前記アクトを実行するように構成されている、請求項１３に記載の通信システム。
【請求項４１】
前記優先順位をつけられたネットワークリストは、ユーザー制御のＰｕｂｌｉｃ  Ｌａｎｄ  Ｍｏｂｉｌｅ  Ｎｅｔｗｏｒｋのリストまたはオペレーター制御のＰｕｂｌｉｃ  Ｌａｎｄ  Ｍｏｂｉｌｅ  Ｎｅｔｗｏｒｋのリストである、請求項１６に記載の通信システム。
【請求項４２】
前記受信可能範囲を回復したこと、または電源オンに入ったことに応答して、前記アクトが実行されるようにするときに、前記（ａ）のアクトおよび前記（ｃ）のアクトは、ユーザーの介入なしに、前記手動ネットワーク選択モードにおいて、前記移動局によって実行される、請求項１８に記載の方法。
【請求項４３】
前記ホーム通信ネットワークを選択し、該ホーム通信ネットワークと動作する前に、前記手動ネットワーク選択に対する視覚入力プロンプトを表示させることをさらに包含する、請求項１８に記載の方法。
【請求項４４】
前記（ｃ）のアクトは、所定の時間の満了後に実行される、請求項１８に記載の方法。
【請求項４５】
前記ホーム通信ネットワークを選択し、該ホーム通信ネットワークと動作する前に、前記ホーム通信ネットワークの手動ネットワーク選択に対する視覚入力プロンプトを表示させること
をさらに包含し、
該ホーム通信ネットワークを選択し、該ホーム通信ネットワークと動作する該アクトは、該視覚入力プロンプトを介して、該ホーム通信ネットワークの該手動ネットワーク選択を受信したことに応答して、実行される、請求項１８に記載の方法。
【請求項４６】
前記（ｃ）のアクトは、
前記ホーム通信ネットワークを選択し、該ホーム通信ネットワークと動作する前に、手動ネットワーク選択に対する視覚入力プロンプトを表示させること
をさらに包含し、
該（ｃ）のアクトにおいて、該ホーム通信ネットワークを選択し、該ホーム通信ネットワークと動作することは、所定の時間の満了後に実行される、請求項１８に記載の方法。
【請求項４７】
前記受信可能範囲を回復したこと、または電源オンに入ったことに応答して、前記アクトが実行されるようにするときに、前記１つ以上のプロセッサは、ユーザーの介入なしに、前記手動ネットワーク選択モードにおいて、前記（ａ）のアクトおよび前記（ｃ）のアクトを実行するようにさらに構成されている、請求項２３に記載の移動局。
【請求項４８】
移動局による使用のためのネットワーク選択方法であって、
該方法は、
該移動局が動作する受信範囲内で、１つ以上のＰＬＭＮ（Ｐｕｂｌｉｃ  Ｌａｎｄ  Ｍｏｂｉｌｅ  Ｎｅｔｗｏｒｋ）を識別するアクトであって、該ＰＬＭＮは、ＧＳＭ（Ｇｌｏｂａｌ  Ｓｙｓｔｅｍｓ  ｆｏｒ  Ｍｏｂｉｌｅ  Ｃｏｍｍｕｎｉｃａｔｉｏｎｓ）に従って動作する、アクトと、
非ホームＲＰＬＭＮ（Ｒｅｇｉｓｔｅｒｅｄ  Ｐｕｂｌｉｃ  Ｌａｎｄ  Ｍｏｂｉｌｅ  Ｎｅｔｗｏｒｋ）を選択し、該ＲＰＬＭＮと動作するアクトと、
該非ホームＲＰＬＭＮを用いて、受信不可能範囲状態から信号受信可能範囲を回復したことに応答して、または、該非ホームＰＬＭＮと動作している間に該移動局によって電源オフ状態に入った場合において、電源オフ状態の後に電源オンに入ったことに応答して、
該移動局のホームＰＬＭＮ（ＨＰＬＭＮ）が利用可能であると識別された場合に、該ＨＰＬＭＮを選択し、該ＨＰＬＭＮと動作するアクトと、
該移動局のホームＰＬＭＮ（ＨＰＬＭＮ）が利用可能であるとは識別されず、該ＨＰＬＭＮが利用不可能であり、該非ホームＲＰＬＭＮが利用可能であると識別された場合に、非ホームＲＰＬＭＮを選択し、該非ホームＲＰＬＭＮと動作するアクトと、
該移動局のホームＰＬＭＮ（ＨＰＬＭＮ）が利用可能であるとは識別されず、該ＨＰＬＭＮと該非ホームＲＰＬＭＮとが利用不可能である場合に、好ましいＰＬＭＮのＰｒｅｆｆｅｒｅｄ  ＰＬＭＮ（ＰＰＬＭＮ）リストに従って、優先順位で、通信のために利用可能な該Ｐｒｅｆｆｅｒｅｄ  ＰＬＭＮのうちの１つを選択するアクトと
を含む、ネットワーク選択方法。
【発明の詳細な説明】
【技術分野】
【０００１】
（関連出願の相互参照）
本出願は、２００３年１１月１２日に出願された、「Ｎｅｔｗｏｒｋ  Ｓｅｌｅｃｔｉｏｎ  Ｍｅｔｈｏｄｓ  Ａｎｄ  Ａｐｐａｒａｔｕｓ  Ｗｉｔｈ  Ｈｏｍｅ  Ｎｅｔｗｏｒｋ  Ｐｒｉｏｒｉｔｉｚａｔｉｏｎ  Ａｆｔｅｒ  Ｒｅｃｏｖｅｒｙ  Ｆｒｏｍ  Ｏｕｔ−Ｏｆ−Ｃｏｖｅｒａｇｅ  Ｃｏｎｄｉｔｉｏｎｓ」を発明の名称とする、米国仮特許出願シリアル番号６０／５１９、５１４の利益を主張し、ここに援用される。
【０００２】
本出願は一般に、移動局およびそれによって用いられるネットワーク選択方法に関連する。
【背景技術】
【０００３】
携帯電話局のような移動通信装置は、無線通信ネットワーク上で、電話をかけて受けるおよび／またはデータを送受信する性能を有し得る。これが可能となる前は、移動局は地理的受信可能範囲エリア内で利用可能な複数の通信ネットワークの１つを選択し、登録する。選択されたネットワークを登録した後、移動局はアイドルモードで動作し、ネットワークの特定の無線通信チャンネルに「留まり（ｃａｍｐ−ｏｎ）」、電話またはメッセージをモニターする。「ネットワーク選択」は、登録し、動作するために介する１つの通信ネットワークを選択するため、移動局によって実行される特定のプロセスである。
【０００４】
携帯電話動作およびネットワーク選択スキームは標準仕様に文書化され、それは携帯電話局および関連するシステムの動作を管理する。一つの大変周知な携帯標準はＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）標準である。ＧＳＭ０３．２２／ＥＴＳＩ（欧州電気通信標準化協会）ＴＸ  １００  ９３０、３ＧＰＰ（３ｒｄ  Ｇｅｎｅｒａｔｉｏｎ  Ｐａｒｔｎｅｒｓｈｉｐ  Ｐｒｏｊｅｃｔ）からの技術仕様（ＴＳ）２３．１２２、他の関係する標準仕様は、携帯電話動作およびネットワーク選択の詳細をくわしく記載している。これらの文書は、携帯電話局がさまざまな地域と国の間を移動しながら、主に継続的な電話サービスを提供する目的で、ネットワーク（ＰＬＭＮ（Ｐｕｂｌｉｃ  Ｌａｎｄ  Ｍｏｂｉｌｅ  Ｎｅｔｗｏｒｋｓ）と呼ばれる）との受信可能範囲を維持するために、移動局はどのように作用するのかを記載する。
【０００５】
伝統的に、移動局は、その周辺の受信可能範囲エリア内で利用可能なすべての通信ネットワークを識別するために最初にスキャニングすることで、ネットワーク選択を実行する。それぞれのネットワークは、固有のＭＣＣ（Ｍｏｂｉｌｅ  Ｃｏｕｎｔｒｙ  Ｃｏｄｅ）とＭＮＣ（Ｍｏｂｉｌｅ  Ｎｅｔｗｏｒｋ  Ｃｏｄｅ）の対によって識別される。移動局の「ホームネットワーク」（ＨＰＬＭＮ）が利用可能である場合、移動局は通常、ホームネットワークを選択し、動作する。ＨＰＬＭＮが利用不可能である場合、移動局は通常、移動局のメモリに格納される好ましいネットワークリストにおいて最優先順位を有する通信ネットワークを選択し、動作する。好ましいネットワークリストがいくつかあり得て、それらは一般的に、移動局のＳＩＭ（Ｓｕｂｓｃｒｉｂｅｒ  Ｉｄｅｎｔｉｔｙ  Ｍｏｄｕｌｅ）カードに格納されるＰＰＬＭＮ  ｌｉｓｔｓ（Ｐｒｅｆｅｒｒｅｄ  ＰＬＭＮ  ｌｉｓｔｓ）に言及される。たとえば、ＰＰＬＡＭ  ｌｉｓｔｓは、Ｕ−ＰＰＬＭＮ（ｕｓｅｒ−ｃｏｎｔｒｏｌｌｅｄ  ＰＰＬＭＮ）ｌｉｓｔおよびＯ−ＰＰＬＭＮ（ｏｐｅｒａｔｏｒ−ｃｏｎｔｒｏｌｌｅｄ  ＰＬＭＮ）ｌｉｓｔを含み得る。上記のネットワーク選択方法は一般に「自動」ネットワーク選択方法として言及される。この自動選択方法の代替として、移動局のエンドーユーザーが提供され得て、エンドユーザーは、移動装置に明確に表示されるリストアップされた複数の利用可能なネットワークから手動で選択する能力を有する。この従来のネットワーク選択方法は、「手動」ネットワーク選択方法と呼ばれる。
【０００６】
移動局の従来のネットワーク選択技術に一部の問題が存在し、それらはＨＰＬＭＮの動作に特に関係する。受信不可能範囲の状態からの回復後、移動局は、ＰＬＭＮを用いて前に登録した（つまりそのＲＰＬＭＮ）ＰＬＭＮを選択するために動作する。ＲＰＬＭＮが利用不可能である場合、移動局はスキャンを実行し、ＨＰＬＭＮであり得るＰＬＭＮを識別し、選択する。しかしながら、仕様は、ＲＰＬＭＮが移動局のＨＰＬＭＮでない状態を明確に特定的に扱っていない。ＲＰＬＭＮがＨＰＬＭＮでなく、受信不可能範囲状態から回復後にＨＰＬＭＮが利用可能である場合、回復すると、移動局は非ホームＲＰＬＭＮ（利用可能であれば）の選択に制限されることが明記されている。そのような従来の動作がＥＴＳＩ仕様３．２２／２３．１２２に記載されている。ＲＰＬＭＮで動作し、その後電力が回復する間に移動局の電源が切れる場合にも、同様の問題が存在する。関連する問題において、移動局は「手動」モードである一方、最も不適当なＲＰＬＭＮが利用不可能である場合、移動局は、緊急サービスを提供する任意のネットワークに留まると標準は明記している。特に、たとえばホームネットワークが利用可能である場合に、この選択されたネットワークは、動作するために用いられる最適なネットワークであり得ない。
【０００７】
したがって、従来技術の欠陥を克服するネットワーク選択および装置の必要が結果として生じる。
【発明の開示】
【課題を解決するための手段】
【０００８】
ネットワーク信号回復および／または電源入力後に、ホームネットワーク優先順位を用いるネットワーク選択方法および装置がここに記載される。
【０００９】
「自動」ネットワーク選択に関わる一実施例において、移動局は非ホーム通信ネットワークを選択し、動作する。移動局はそれから受信不可能範囲状態（ｏｕｔ−ｏｆ−ｃｏｖｅｒａｇｅ  ｃｏｎｄｉｔｉｏｎ）（またはパワーダウン状態）を経験するが、その後、信号受信可能範囲を回復（または電源回復）する。それに応じて、移動局は、その通信可能範囲エリアにおける複数の通信ネットワークを識別するためにスキャンする。ホーム通信ネットワーク（たとえばＨＰＬＭＮ）が利用可能であると識別される場合、移動局はホーム通信ネットワークを選択し、動作する。さもなく、先の非ホーム通信ネットワーク（たとえばＲＰＬＭＮ）が利用可能であると識別される場合、移動局は先の非ホーム通信ネットワークでの動作を続ける。
【００１０】
「手動」ネットワーク選択に関わる別の実施例において、移動局が動作する通信ネットワークを手動で選択するために、ユーザーインタフェースからのユーザー入力が受け取られる。受信不可能範囲状態からネットワーク信号受信可能範囲の回復の後、または電源切れ（オフ）状態から電源入力（オン）の後、移動局は、受信可能範囲エリアにおける複数の通信ネットワークを識別するためにスキャンする。スキャニングによって識別されるように、先の手動で選択されたネットワーク（たとえばＲＰＬＭＮ）は利用可能であるが、ホームネットワークが利用不可能である場合、移動局は先の手動で選択されたネットワークでの動作を続ける。しかしながら、スキャニングによって、ホーム通信ネットワーク（たとえばＨＰＬＭＮ）が利用可能であると識別される場合、移動局は、ホームネットワークの手動選択のため、視覚入力プロンプトが表示されるようにする。
【発明を実施するための最良の形態】
【００１１】
本発明の実施形態は、添付の図面を参照し、例を介して記載される。
【００１２】
ネットワーク信号回復および／または電源入力の後のホームネットワーク優先順位を備えるネットワーク選択方法および装置がここに記される。「自動」ネットワーク選択に関わる一つの実例において、移動局は非ホーム通信ネットワークを識別し、動作する。それから移動局は、信号の受信可能範囲でない状態（またはパワーダウン状態）を経験するが、その後、信号受信可能範囲を回復（または電源回復）する。それに応じて、移動局はスキャンし、その受信可能範囲エリアにおいて複数の通信ネットワークを識別する。ホーム通信ネットワーク（たとえば、ＨＰＬＭＮ）が利用可能であると識別される場合、移動局はホーム通信ネットワークを選択し、動作する。さもなく、先の非ホーム通信ネットワーク（たとえば、ＲＰＬＭＮ）が利用可能であると識別される場合、移動局は先の非ホーム通信ネットワークで動作を続ける。「手動」ネットワーク選択に関わる別の実例において、移動局が動作する通信ネットワークを手動で選択するため、ユーザーインタフェースからのユーザー入力が受信される。信号の受信可能範囲でない状態からネットワーク信号受信可能範囲を回復した後、または電源切れ状態から電源入力状態になった後、移動局は、受信可能範囲エリアにおいて複数の通信ネットワークを識別するためにスキャンする。スキャニングによって識別されたように、先の手動で選択されたネットワーク（たとえば、ＲＰＬＭＮ）は利用可能であるがホームネットワークは利用可能でない場合、移動局は先の手動で選択されたネットワークで動作し続ける。しかし、スキャニングによってホーム通信ネットワーク（たとえば、ＨＰＬＭＮ）が利用可能であると識別される場合、移動局は、ホームネットワークの手動選択のために視覚入力が表示されるようにする。
【００１３】
図１は通信システム１００のブロック図であり、無線通信ネットワーク１０４を介して通信する移動局１０２を含む。移動局１０２は、視覚ディスプレイ１１２、キーボード１１４、おそらく１つ以上の補助的ユーザーインタフェース（ＵＩ）１１６を好ましくは含み、それぞれは制御装置１０６に結合している。制御装置１０６はまた無線周波数（ＲＦ）送受信装置回路１０８およびアンテナ１１０に結合している。
【００１４】
多くの現代の通信装置において、制御装置１０６は、中央演算処理装置（ＣＰＵ）として具現化されていて、メモリ成分（図示されず）内のオペレーティングシステムソフトウエアを実行する。制御装置１０６がモバイル機器１０２の全体動作を通常、制御するのに対し、通信機能と関連する信号処理動作は典型的にＲＦ送受信装置回路１０８において実行される。制御装置１０６は機器ディスプレイ１１２とインターフェースし、受信した情報、格納された情報、ユーザー入力などを表示する。キーボード１１４は電話タイプのキーパッドまたは完全な英数字のキーボードであり得て、移動局１０２で格納するためにデータを入れるため、ネットワーク１０４へ伝送する情報のため、電話を設置する電話番号のため、移動局１０２において実行される命令のため、他のまたは異なる可能なユーザー入力のために通常、提供される。
【００１５】
移動局１０２はアンテナ１１０を介して無線リンク上でネットワーク１０４へ通信信号を送り、ネットワーク１０４から通信信号を受ける。ＲＦ送受信装置回路１０８は基地局１２０と同様の機能を実行し、たとえば変調／復調、可能な符号化／復号化、暗号化／解読を含む。ＲＦ送受信装置回路１０８が基地局１２０によって実行されることに加えて特定の機能を実行し得ることもまた予期される。移動局１０２が動作するよう意図される特定の無線ネットワークまたはネットワークにＲＦ送受信装置回路１０８が適応されることは当業者にとって明らかである。移動局１０２が完全に利用可能である場合、ＲＦ送受信装置回路１０８のＲＦトランスミッタは、ネットワークに送信している場合のみに、典型的に鍵がかけられるかまたは動作され、さもなければ資源を保存するために停止される。そのようなトランスミッタの断続的動作は移動局１０２の電力消費に著しい影響を及ぼす。同様に、ＲＦ送受信装置回路１０８のＲＦ受信装置は、典型的には周期的に停止し、指定された時間、信号または情報（ある場合）を受信する必要があるまで電力を保存する。
【００１６】
移動局１０２は１つ以上の再充電可能な電池１３２を受け取るために電池インタフェース１３４を含む。移動局１０２がエンドユーザー（たとえば、キーボード１１４）によって電源が入れられる場合、電池１３２は移動局１０２における電気回路に（必ずでなくともほぼ）電力を提供する。電池インタフェース１３４は電池１３２に機械的および電気的な両方の接続を提供する。電池インタフェース１３４は、装置への電力を調整する調整装置１３６に結合している。エンドユーザーによって移動局１０２の電源が切られ、移動局１０２を電源切れ状態にする場合、ほとんどの回路への（たとえば、少なくともＲＦ送受信装置回路１０８への）電力は遮断される。
【００１７】
移動局１０２は次のような単一ユニットから成り得る：データ通信装置、携帯電話、データおよび音声通信性能を有する複数機能通信装置、無線通信を可能にするＰＤＡ（ｐｅｒｓｏｎａｌ  ｄｉｇｉｔａｌ  ａｓｓｉｓｔａｎｔ）、内部モデムを組み込むコンピュータ。代替に、移動局１０２は複数モジュールユニットであり得て、無線モデムに接続するコンピュータまたは他の装置に限らないがそれらを含む別々の複数の成分を備える。特に、たとえば、図１の移動局ブロック図において、ＲＦ送受信装置回路１０８およびアンテナ１１０は、ラップトップコンピュータのポートに挿入され得る無線モデムユニットとして実行され得る。この場合、ラップトップコンピュータは、ディスプレイ１１２、キーボード１１４、１つ以上の補助的ＵＩ１１６、コンピュータのＣＰＵとして具現化される制御装置１０６を含む。通常、無線通信性能を有さないコンピュータまたは他の装置は適応され得て、上記のいずれかのような単一ユニット装置のＲＦ送受信装置回路１０８およびアンテナ１１０の装置に接続し、効果的にそれらを想定することもまた予期される。そのような移動局１０２は、図２の移動局２００に関して後述されるようにより特定の実行を有し得る。
【００１８】
移動局１０２は、ＳＩＭ（Ｓｕｂｓｃｒｉｂｅｒ  Ｉｄｅｎｔｉｔｙ  Ｍｏｄｕｌｅ）インタフェース１４２によって移動局１０２に接続しているまたは挿入されているＳＩＭ１４０を用いて動作する。ＳＩＭ１４０は、従来の「スマートカード」の１つのタイプで、移動局１０２のエンドユーザー（または電話加入者）を識別し、他のものの中で装置を個人化するために用いられる。ＳＩＭ１４０がなくては、移動端末は無線ネットワーク１０４を介する通信のために完全に動作しない。ＳＩＭ１４０を移動端末に挿入することによって、エンドユーザーは加入サービスのいくつかまたはすべてにアクセスが可能で、ＳＩＭ１４０は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）ならびに好ましいネットワークリストなどの一部のユーザーパラメーターを含む。さらに、ＳＩＭ１４０は、そこに格納され、エンドユーザーのみに知られる４桁のＰＩＮ（Ｐｅｒｓｏｎａｌ  Ｉｄｅｎｔｉｆｉｃａｔｉｏｎ  Ｎｕｍｂｅｒ）によって典型的に保護されている。ＳＩＭ１４０を使用する利点は、エンドユーザーが必ずしも任意の単一の物理的な移動端末によって制限されない点である。典型的に、移動端末を個人化する唯一の要素はＳＩＭである。それゆえ、ユーザーは、ユーザーのＳＩＭ１４０を動作するために備えられたほとんどの任意の移動端末を用いて加入サービスへアクセスができる。ＳＩＭ１４０は一般的に、情報を格納するためのプロセッサおよびメモリを含む。ＳＩＭ１４０およびそのインタフェース規格は非常に周知である。ＳＩＭインタフェース１４２を有する規格ＧＳＭ装置とインタフェースするために、従来のＳＩＭ１４０は６つの接続を有する。
【００１９】
移動局１０２は無線通信ネットワーク１０４においておよびそれを介して通信する。図１の実施形態において、無線ネットワーク１０４はＧＳＭ（Ｇｌｏｂａｌ  Ｓｙｓｔｅｍｓ  ｆｏｒ  Ｍｏｂｉｌｅ）およびＧＰＲＳ（Ｇｅｎｅｒａｌ  Ｐａｃｋｅｔ  Ｒａｄｉｏ  Ｓｅｒｖｉｃｅ）に従って動作する。無線ネットワーク１０４は、関連するアンテナタワー１１８を有する基地局１２０、ＭＳＣ（Ｍｏｂｉｌｅ  Ｓｗｉｔｃｈｉｎｇ  Ｃｅｎｔｅｒ）１２２、ＨＬＲ（Ｈｏｍｅ  Ｌｏｃａｔｉｏｎ  Ｒｅｇｉｓｔｅｒ）１３２、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）１２６、ＧＧＳＮ（Ｇａｔｅｗａｙ  ＧＰＲＳ  Ｓｕｐｐｏｒｔ  Ｎｏｄｅ）１２８を含む。ＭＳＣ１２２は、基地局１２０およびＰＳＴＮ（公衆交換電話網）１２４などのような電話ネットワークに結合している。ＳＧＳＮ１２６は基地局１２０およびＧＧＳＮ１２８に結合していて、ＧＧＳＮ１２８は一般または個人のデータネットワーク１３０（インターネットなど）に結合している。ＨＬＲ１３２はＭＳＣ１２２およびＳＧＳＮ１２６に結合している。
【００２０】
関連する制御装置およびアンテナタワー１１８を含む基地局１２０は、一般に「セル」と呼ばれる特定の受信可能範囲エリアに無線ネットワーク受信可能範囲を提供する。基地局１２０は、アンテナタワー１１８を介してセル内の移動局に通信信号を伝送し、そこから通信信号を受信する。基地局１２０は、変調およびおそらく制御装置の制御のもとで特定の、通常は規定の通信プロトコルおよびパラメーターに従って、移動局１０２に伝送される信号の符号化および／または暗号化のような機能を通常、実行する。基地局１２０は同様に復調し、必要ならばおそらく、セル内の移動局１０２から受信する任意の通信信号を復号化および解読する。通信プロトコルおよびパラメーターは異なるネットワーク間で変わり得る。たとえば、１つのネットワークは異なる変調スキームを用い得て、他のネットワークとは異なる周波数で動作し得る。
【００２１】
図１の通信システム１００に示される無線リンクは、１つ以上の異なるチャンネル、典型的に異なる無線周波数（ＲＦ）チャンネル、無線ネットワーク１０４と移動局１０２との間で用いられる関連するプロトコルを表す。典型的に、全体の帯域幅における限定および移動局１０２の限定された電池残量のため、ＲＦチャンネルは保存されなければならない限定の資源である。実際の実行における無線ネットワークは、ネットワーク受信可能範囲の望ましい全体の拡張次第で、それぞれのセルが識別可能な基地局１２０および送受信装置によって提供される数百のセルを含み得る。すべての基地局制御装置および基地局は、複数のスイッチおよびルータ（図示されず）によって接続され得て、複数のネットワーク制御装置によって制御される。
【００２２】
ネットワークオペレーターに登録しているすべての移動局１０２に対して、永久的データ（移動局１０２のユーザーのプロファイルなど）ならびに一時的データ（移動局１０２の現在位置など）はＨＬＲ１３２に格納される。移動局１０２への音声呼び出しの場合、ＨＬＲ１３２は移動局１０２の現在位置を決定するために照会される。ＭＳＣ１２２のＶＬＲ（Ｖｉｓｉｔｏｒ  Ｌｏｃａｔｉｏｎ  Ｒｅｇｉｓｔｅｒ）は位置エリアグループの責任を有し、責任のエリアに現在存在するそれらの移動局のデータを格納する。これには、より速いアクセスのためにＨＬＲ１３２からＶＬＲに伝送された永久的移動局データの複数部分を含む。しかしながら、ＭＳＣ１２２のＶＬＲはまた、一時的識別のような局所データを割り当て得て、格納し得る。随意的に、ＭＳＣ１２２のＶＬＲは、ＧＰＲＳと非ＧＰＲＳサービスおよび機能性のより効率的な協調のために拡張され得る（たとえば、回路切り換え電話の呼び出しは、ＳＧＳＮ１２６を介して、ＧＰＲＳと非ＧＰＲＳ位置アップデートの結合で、より効率的に実行され得る）。
【００２３】
ＧＰＲＳネットワークの一部であり、ＳＧＳＮ（Ｓｅｒｖｉｎｇ  ＧＰＲＳ  Ｓｕｐｐｏｒｔ  Ｎｏｄｅ）１２６は、ＭＳＣ１２２と同じ階層レベルにあり、移動局のそれぞれの位置の追跡を続ける。ＳＧＳＮ１２６はまたセキュリティー機能およびアクセス制御を実行する。ＧＧＳＮ（Ｇａｔｅｗａｙ  ＧＰＲＳ  Ｓｕｐｐｏｒｔ  Ｎｏｄｅ）１２８は外部のパケット切り換えネットワークとの相互作用を提供し、ＩＰに基づくＧＰＲＳバックボーンネットワークを介してＳＧＳＮ（ＳＧＳＮ１２６など）と接続する。ＳＧＳＮ１２６は、既存のＧＳＭにおけるものと同じアルゴリズム、キー、基準に基づく認証および暗号設定手順を実行する。従来の動作において、セル選択は、移動局１０２または、移動局１０２が特定のセルを選択するように指示する基地局１２０によって独立的に実行され得る。移動局１０２が別のセルまたはルーティング部分として周知のセルグループを再選択する場合に、移動局１０２は無線ネットワーク１０４に知らせる。
【００２４】
ＧＰＲＳサービスにアクセスするために、ＧＰＲＳ「アタッチ」として周知の処理を実行することで、移動局１０２はまずその存在を無線ネットワーク１０４に知らせる。この動作は、移動局１０２とＳＧＳＮ１２６との間に論理リンクを確立し、移動局１０２がたとえば、ＳＧＳＮを介してページ、入力ＧＰＲＳデータの通知、ＧＰＲＳでのＳＭＳメッセージを受けるのに使用可能にする。ＧＰＲＳデータを送受信するために、移動局１０２は使用したいパケットデータアドレスを有効にする補助をする。この動作は移動局１０２をＧＧＳＮ１２８に知らせて、外部データネットワークとの相互作用がその後開始する。たとえば、カプセル化およびトンネリングを用いて、ユーザーデータは、移動局１０２と外部データネットワークとの間にユーザーが気づくことなく伝送され得る。データパケットはＧＰＲＳ特有のプロトコル情報を備え、移動局１０２とＧＧＳＮ１２８との間に伝送される。
【００２５】
上記から明らかなように、無線ネットワークは、ＲＦ送受信装置、増幅器、基地局制御装置、ネットワークサービス、ネットワークに接続されるサーバーを含む固定のネットワーク成分を含む。当業者は、無線ネットワークが、おそらく他のネットワークを含むだろうが図１に明確に示されていない他のシステムに接続され得ることを認めるであろう。ネットワークは、実際にパケットデータが交換されていなくとも、進行中として、呼び出しおよびシステム情報の少なくともいくつかの種類を通常、伝送する。ネットワークは多くの部分から成るが、これらの部分はすべて協働し、無線リンクにおける特定の動作になる。
【００２６】
図２は、好ましい移動通信装置である移動局２００の詳細なブロック図である。移動局２００は、好ましくは双方向通信装置であり、他のコンピュータシステムとの通信性能を含む、音声およびデータ通信性能を有する。移動局２００に提供される機能性に依存して、データメッセージング装置、双方向携帯電話、データメッセージング性能を有する携帯電話、無線インターネット機器、（電話性能を有するまたは有さない）データ通信装置として言及され得る。
【００２７】
移動局２００が双方向通信に有効である場合、通常、通信サブシステム２１１を組み込み、通信サブシステム２１１は送受信装置２１２、トランスミッタ２１４、１つ以上の（好ましくは内蔵されているか内部の）アンテナ要素２１６および２１８などの関連する構成要素、局部発振器（ＬＯ）２１３、デジタル・シグナル・プロセッサ（ＤＳＰ）２２０などの処理モジュールを含む。通信サブシステム２１１は、図１に示されるＲＦ送受信装置回路１０８およびアンテナ１１０に類似である。通信分野の当業者に明らかとなるように、通信サブシステム２１１の特定の設計は、通信局２００が動作するように意図される通信ネットワークに依存する。
【００２８】
ネットワークアクセス必要条件はまた、利用されるネットワークのタイプに依存して変わる。たとえばＧＰＲＳネットワークにおいて、ネットワークアクセスは、電話加入者または移動局２００のユーザーと関連する。それゆえ、ＧＰＲＳネットワークで動作するために、ＧＰＲＳ装置は一般的に「ＳＩＭ」２６２と呼ばれるＳｕｂｓｃｒｉｂｅｒ  Ｉｄｅｎｔｉｔｙ  Ｍｏｄｕｌｅを必要とする。そのようなＳＩＭ２６２がＳＩＭインタフェース２６４に挿入されていない場合、ＧＰＲＳ装置は完全に有効ではない。局所または非ネットワーク通信機能（ある場合）が実施可能であり得るが、移動局２００はネットワークでの通信に関与する任意の機能を実行することができない。ＳＩＭ２６２は図１に関連して記されたこれらの特徴を含む。
【００２９】
移動局２００は、任意の時間における同じまたは異なるネットワークに関連する複数の基地局２０２の１つと関連して動作する。必要なネットワーク登録または活性化順序が完成した後に、移動局２００は選択されたネットワークを用いて通信信号を送受信し得る。本出願のネットワーク選択は、以下の図６〜７に関連して記載される。ネットワークを介してアンテナ２１６に受信される信号は受信装置２１２への入力であり、受信装置２１２は、信号増幅、周波数低減変換、フィルタリング、チャンネル選択等、および図２に示される例にあるアナログ−デジタル（Ａ／Ｄ）変換などの共通の受信装置機能として実行し得る。受信信号のＡ／Ｄ変換によって、ＤＳＰ２２０において実行される復調および復号化などのより複雑な通信機能が可能になる。同様に、伝送される信号は、たとえばＤＳＰ２２０による変調および符号化を含む処理がされる。これらのＤＳＰ処理された信号は、デジタル−アナログ（Ｄ／Ａ）変換、周波数高調変換、フィルタリング、増幅、アンテナ２１８を介して通信ネットワークでの伝送のために、トランスミッタ２１４へ入力される。ＤＳＰ２２０は、通信信号を処理するだけでなく、受信装置およびトランスミッタ制御を提供する。たとえば、受信装置２１２およびトランスミッタ２１４における通信信号に適用されるゲインは、ＤＳＰ２２０に実行される自動ゲイン制御アルゴリズムを介して適合して制御され得る。
【００３０】
移動局２００は、移動局２００の全体の動作を制御するマイクロプロセッサ２３８（図１の制御装置１０６の１つの実行である）を含む。少なくともデータおよび音声通信を含む通信機能は、通信サブシステム２１１を介して実行される。マイクロプロセッサ２３８はまた、ディスプレイ２２２、フラッシュメモリ２２４、ＲＡＭ（ｒａｎｄｏｍ  ａｃｃｅｓｓ  ｍｅｍｏｒｙ）２２６、補助的入力／出力（Ｉ／Ｏ）サブシステム２２８、シリアルポート２３０、キーボード２３２、スピーカー２３４、マイクロフォン２３６、近距離通信サブシステム２４０、一般的に２４２で示される任意の他の装置サブシステムなどのさらなる装置サブシステムと相互作用する。データおよび制御線２６０がＳＩＭインタフェース２５４とマイクロプロセッサ２３８との間に伸びるのは、その間のデータを通信するためおよび制御のためである。図２に示される一部のサブシステムが通信に関する機能を実行するのに対して、他のサブシステムは「常駐の」またはオン・デバイス機能を提供し得る。とりわけ、たとえばキーボード２３２およびディスプレイ２２２などの一部のサブシステムは、通信ネットワークでの伝達のためのテキストメッセージの入力などの通信関連機能と、計算器またはタスクリストのような常駐機能の両方のために用いられ得る。マイクロプロセッサ２３８に用いられるオペレーティングシステムソフトウエアは、代替にＲＯＭ（ｒｅａｄ−ｏｎｌｙ  ｍｅｍｏｒｙ）または同様の格納要素（図示されず）であり得るフラッシュメモリ２２４などの持続性記憶装置に好ましくは格納される。当業者は、オペレーティングシステム、特定の装置応用、そのパーツが、ＲＡＭ２２６などのような揮発性の記憶装置に一時的にロードされ得ることを認めるであろう。
【００３１】
マイクロプロセッサ２３８は、そのオペレーティングシステム機能に加えて、移動局２００へのソフトウエアアプリケーションの実行を好ましくは可能にする。所定のアプリケーションのセットは基本的な装置動作を制御し、少なくともデータおよび音声の通信アプリケーション（たとえば、ネットワーク選択スキーム）を含み、通常はその製造中に移動局２００にインストールされる。移動局２００にロードされ得る好ましいアプリケーションはＰＩＭ（ｐｅｒｓｏｎａｌ  ｉｎｆｏｒｍａｔｉｏｎ  ｍａｎａｇｅｒ）アプリケーションであり得て、ｅメール、暦事象、音声メール、選定、タスクアイテムなどのユーザーに限定されないが関連するデータ項目を編成し、管理する性能を有する。当然、移動局２００およびＳＩＭ２６２において１つ以上のメモリ格納は利用可能であり、ＰＩＭデータ項目および他の情報の格納を助長する。
【００３２】
ＰＩＭアプリケーションは好ましくは、無線ネットワークを介してデータ項目を送受信する性能を有する。好ましい実施形態において、ＰＩＭデータ項目は無線ネットワークを介して継続的に統合され、合成され、アップデートされ、ユーザーの対応するデータ項目が格納されおよび／またはホストコンピュータシステムに関連する移動装置は、それによってそのような項目に関連して移動局２００に酷似のホストコンピュータを作る。ホストコンピュータシステムが移動装置ユーザーのオフィスコンピュータシステムである場合に、これは特に有利である。さらなるアプリケーションはまた、ネットワーク、補助的Ｉ／Ｏサブシステム２２８、シリアルポート２３０、近距離通信サブシステム２４０、任意の他の適切なサブシステム２４２を介して移動局２００にロードされ得て、マイクロプロセッサ２３８による実行のためにＲＡＭ２２６または好ましくは不揮発性記憶装置（図示されず）におけるユーザーによってインストールされ得る。アプリケーションのインストールにおけるそのような柔軟性は、移動局２００の機能性を高め、オン・デバイス機能または通信関連機能またはその両方を高め得る。たとえば、確実な通信アプリケーションは、移動局２００を用いて実行されるｅコマース機能および他のそのような金融取引を可能にし得る。
【００３３】
データ通信モードにおいて、テキストメッセージまたはウェブページダウンロードのような受信された信号は通信サブシステム２１１によって処理され、マイクロプロセッサ２３８に入力される。マイクロプロセッサ２３８はディスプレイ２２２または代替に補助的Ｉ／Ｏ装置２２８への出力のために好ましくは信号をさらに処理する。移動局２００のユーザーはまた、たとえばディスプレイ２２２およびおそらく補助的Ｉ／Ｏ装置２２８に関連してキーボード２３２を用いてｅメールメッセージまたはＳＭＳ（ｓｈｏｒｔ  ｍｅｓｓａｇｅ  ｓｅｒｖｉｃｅ）メッセージのようなデータ項目を構成し得る。キーボード２３２は好ましくは完全な英数字キーボードおよび／または電話タイプのキーパッドである。これらの構成された項目は、通信サブシステム２１１を介して通信ネットワークに伝送され得る。
【００３４】
音声通信のために、移動局２００の全体の動作は、受信された信号はスピーカー２３４への出力であり、伝送のための信号はマイクロフォン２３６によって生成されるという点を除いて実質的に類似である。サブシステムを記録する音声メッセージのような代替の音声またはオーディオＩ／Ｏサブシステムはまた移動局２００において実行され得る。音声またはオーディオ信号出力は主にスピーカー２３４を介して好ましくは達成されるが、ディスプレイ２２２もまた用いられ得て、一部の例のような発呼者の身元の表示、電話の長さ、関連情報の他の電話を提供する。
【００３５】
図２におけるシリアルポート２３０は通常、随意的であるが、ユーザーのデスクトップコンピュータが望ましい構成要素であることとの同調のためにＰＤＡ（ｐｅｒｓｏｎａｌ  ｄｉｇｉｔａｌ  ａｓｓｉｓｔａｎｔ）タイプの通信装置において実行される。シリアルポート２３０によって、ユーザーは、外部装置またはソフトウェアアプリケーションを介して優先度を設定でき、無線通信ネットワーク以外のものを介して移動局２００に情報またはソフトウェアのダウンロードを提供することで、移動局２００の性能を拡張することができる。たとえば、代替のダウンロードパスが用いられ得て、直接のこのように確実に信用のおける接続を通して移動局２００に暗号化キーをロードし、それによって確実な装置通信を提供する。
【００３６】
図２の近距離通信サブシステム２４０はさらなる任意の構成要素であり、移動局２００と必ずしも同様の装置である必要のない異なるシステムまたは装置との間に通信を提供する。たとえば、サブシステム２４０は、赤外線装置および関連する回路および成分またはＢｌｕｅｔｏｏｔｈＴＭ通信モジュールを含み得て、通信に同様に有効にされたシステムおよび装置を提供する。ＢｌｕｅｔｏｏｔｈＴＭは、Ｂｌｕｅｔｏｏｔｈ  ＳＩＧ，Ｉｎｃの登録商標である。
【００３７】
移動局２００はまた１つ以上の充電式電池２５６を受け取るために電池インタフェース２５４を含む。エンドユーザー（たとえばキーボード２３２における）によって移動局２００の電源が入れられると、電池２５６は移動局２００のすべてでないにしても大半の電気回路に電力を提供する。電池インタフェース２５４は、電池２５６に機械的および電気的両方の接続を提供する。電池インタフェース２５４は、全回路への電力を調整する調整装置（図２に示されず）に結合している。移動局２００を電源の切れた状態にするためにエンドユーザーによって移動局２００の電源が切られると、ほとんどの回路への（たとえば、少なくとも通信サブシステム２１１への）電力は切断される。
【００３８】
図３は無線通信装置と通信するための特定のシステム構成を示す。特に図３は、ＧＰＲＳネットワークのようなＩＰに基づいた無線データネットワークの基本構成を示す。移動局２００は無線パケットデータネットワーク３４５と通信し、また無線音声ネットワーク（図示されず）と通信する性能を有し得る。音声ネットワークは、たとえばＧＳＭおよびＧＰＲＳネットワークに類似のＩＰに基づいた無線ネットワーク３４５と関連し得るかまたは代替に完全に別のネットワークであり得る。ＧＰＲＳ  ＩＰに基づいたデータネットワークは、ＧＳＭ音声ネットワークに効率的にオーバーレイする点において特有である。そのように、ＧＰＲＳ構成成分は、基地局３２０のような既存のＧＳＭ成分に拡大するかまたはネットワークエントリポイント３０５のようなアドバンスドＧＧＳＮ（Ｇａｔｅｗａｙ  ＧＰＲＳ  Ｓｅｒｖｉｃｅ  Ｎｏｄｅ）のような追加型のさらなる構成成分を必要とする。
【００３９】
図３に示されるようにゲートウェイ３４０は、内部のまたは外部のアドレス決定成分３３５および１つ以上のネットワークエントリポイント３０５に結合され得る。データパケットは、伝送される情報のソースであるゲートウェイ３４０から、ゲートウェイ３４０から移動局２００への無線ネットワークトンネル３２５を設定することでネットワーク３４５を介して移動局２００に伝送される。この無線トンネル３２５を作るために、固有のネットワークアドレスが移動局２００と関連している。しかしながらＩＰに基づいた無線ネットワークにおいて、ネットワークアドレスは典型的に持続的に特定の移動局２００に割り当てられないが、代わりに必要に応じて動的に割り当てられる。このように、移動局２００がネットワークアドレスを得ることは好ましく、ゲートウェイ３４０がこのアドレスを決定して無線トンネル３２５を確立することは好ましい。
【００４０】
ネットワークエントリポイント３０５は一般的に、たとえば、多くのゲートウェイ間で多重化、逆多重化し、サーバーを組み込み、インターネットのような接続をまとめるために用いられる。通常、これらのネットワークエントリポイント３０５がほとんどないのは、外部に利用可能な無線ネットワークサービスを集中するためにも意図されているからである。ネットワークエントリポイント３０５は、ゲートウェイと移動装置との間におけるアドレス割り当ておよびルックアップにおいて補助するアドレス決定成分３３５の一部のフォームを使用する。この例において、アドレス決定成分３３５は、アドレス決定メカニズムを提供する１つの方法としてのＤＨＣＰ（ｄｙｎａｍｉｃ  ｈｏｓｔ  ｃｏｎｆｉｇｕｒａｔｉｏｎ  ｐｒｏｔｏｃｏｌ）として示される。
【００４１】
無線データネットワーク３４５の中央内部成分はネットワークルータ３１５である。通常、ネットワークルータ３１５は特定のネットワークにとって独自のものであるが、代替に商業的に利用可能なハードウエアの標準から構成され得る。ネットワークルータ３１５の目的は、ネットワークエントリポイント３０５に戻る長距離接続のために通常比較的大きなネットワークにおいて実行される数千の基地局３２０を中心位置に集中することである。一部のネットワークにおいて、ネットワークルータ３１５の複数の層があり得て、マスターおよびスレーブネットワークルータ３１５が存在する状態を引き起こすが、そのようなすべての場合において、機能は同様である。しばしば、ネットワークルータ３１５はインターネットで用いられるようにこの場合ＤＮＳ（ｄｙｎａｍｉｃ  ｎａｍｅ  ｓｅｒｖｅｒ）３０７と示されるネームサーバ３０７にアクセスし、データメッセージをルートするために行き先を調べる。上記のように、基地局３２０は移動局２００のような移動装置に無線リンクを提供する。
【００４２】
無線トンネル３２５のような無線ネットワークトンネルは無線ネットワーク３４５に開かれ、必要なメモリ、経路指定、ＩＰパケットを伝送するためのアドレス資源を割り当てる。ＧＰＲＳにおいて、そのようなトンネル３２５は「ＰＤＰコンテクスト」（つまり、データセッション）と呼ばれるものの一部として確立される。無線トンネル３２５を開くために、移動局２００は無線ネットワーク３４５に関連する特定の技術を使用しなければならない。そのような無線トンネル３２５を開くステップのために、移動局２００は、無線トンネル３２５を開きたいと望むドメインまたはネットワークエントリポイント３０５を示す必要があり得る。この例において、トンネルはまずネームサーバー３０７を使用するネットワークルータ３１５に到達し、どのネットワークエントリポイント３０５が提供されるドメインにマッチするかを決定する。複数の無線トンネルは重複性のためにまたはネットワーク上の異なるゲートウェイおよびサービスにアクセスするために１つの移動局２００から開かれている。一度ドメイン名が発見されると、トンネルはそれからネットワークエントリポイント３０５に拡大し、必要な資源がウェイに沿うそれぞれのノードに割り当てられる。ネットワークエントリポイント３０５はそれからアドレス決定（またはＤＨＣＰ３３５）成分を用いて、移動局２００にＩＰアドレスを割り当てる。ＩＰアドレスが移動局２００に割り当てられ、ゲートウェイ３４０に伝達されると、情報はそれからゲートウェイ３４０から移動局２００に転送され得る。
【００４３】
無線トンネル３２５は、移動装置１００の受信可能範囲プロファイルおよび活動次第で、限定された寿命を典型的に有する。特定の不活動時間または受信不可能範囲時間の後、無線ネットワーク３４５は無線トンネル３２５を解体し、他のユーザーのためにこの無線トンネル３２５によって保持された資源を得る。この主な理由は、無線トンネル３２５が最初に開いたときに、移動局２００のために一時的に保存されたＩＰアドレスを再要求するためである。一度ＩＰアドレスが失われ、無線トンネル３２５が解体されると、ゲートウェイ３４０は、ＴＣＰ（Ｔｒａｎｓｍｉｓｓｉｏｎ  Ｃｏｎｔｒｏｌ  Ｐｒｏｔｏｃｏｌ）またはＵＤＰ（Ｕｓｅｒ  Ｄａｔａｇｒａｍ  Ｐｒｏｔｏｃｏｌ）において移動局２００にＩＰデータパケットを起動するすべての能力を失う。
【００４４】
このアプリケーションにおいて、「ＩＰに基づく無線ネットワーク」（無線通信ネットワークの１つの特定のタイプ）は次を含み得るが制限されていない：（１）クアルコムによって開発され、動作されてきたＣＤＭＡ（Ｃｏｄｅ  Ｄｉｖｉｓｉｏｎ  Ｍｕｌｔｉｐｌｅ  Ａｃｃｅｓｓ）ネットワーク；（２）欧州郵便電気通信主管庁会議（ＣＥＰＴ）の標準委員会によって開発されたＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）ネットワークと関連して用いられるＧＰＲＳ（Ｇｅｎｅｒａｌ  Ｐａｃｋｅｔ  Ｒａｄｉｏ  Ｓｅｒｖｉｃｅ）ネットワークの両ネットワーク；（３）ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）およびＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のような未来の第３世代（３Ｇ）ネットワーク。特定のＩＰに基づく無線ネットワークが記載されてきたが、本出願の通信再確立スキームは無線パケットデータネットワークの任意の適切なタイプにおいて利用され得ることが理解されるべきである。
【００４５】
図３に関連して示され、記載されるインフラは、同じ地理的領域に提供され、利用可能である多くの異なる通信ネットワークのそれぞれを表わし得る。これらの通信ネットワークの１つは通信のために自動または手動の方法で移動装置によって選択される。
【００４６】
図４は、一般に登録され、非ホーム通信ネットワーク４０６と通信する移動局２００の図である。移動局２００のホーム通信ネットワーク４０２は隣接し、破線４０５によって一部示される信号受信可能部分を有する少なくとも１つの基地局４０４を含む。ホームネットワーク４０２は第１のＭＣＣ（Ｍｏｂｉｌｅ  Ｃｏｕｎｔｒｙ  Ｃｏｄｅ）／ＭＮＣ（Ｍｏｂｉｌｅ  Ｎｅｔｗｏｒｋ  Ｃｏｄｅ）の対と関連する。非ホームネットワーク４０６はまた、破線４０９によって一部示される信号受信可能部分を有する少なくとも１つの基地局４０８を含む。非ホームネットワーク４０６は第２のＭＣＣ／ＭＮＣの対と関連する。ＭＣＣおよびＭＮＣはコードであり、移動局のスキャニング動作中、ネットワークによって同報通信され、移動局２００によって受信される。
【００４７】
移動局２００が初めに非ホームネットワーク４０６によって作用され、続いて受信不可能範囲の状態を経験する状態を、考察する。詳説を通じて、受信不可能範囲状態から回復した後に、移動局２００は、先に登録されたＰＬＭＮ（つまり「ＲＰＬＭＮ」）を選択するために動作しなければならない。図４において、これは非ホームネットワーク４０６である。ＲＰＬＭＮが使用不可能である場合、移動局２００はスキャンを実行し、異なるＰＬＭＮ（そのＨＰＬＭＮであり得る）を識別し、選択する。しかしながら、現在の詳説は、ＲＰＬＭＮが移動局２００のＨＰＬＭＮでない状態を明確に特定的に扱っていない。ＲＰＬＭＮがＨＰＬＭＮでなくて、ＨＰＬＭＮ（たとえば図４のホームネットワーク４０２）が受信不可能範囲の状態から回復後に利用可能である場合、回復すると移動局２００は非ホームＲＰＬＭＮ（利用可能であれば）を選択するように制限される。この状態が図４に描かれ、両ネットワークの信号受信可能範囲部分が重なっている。ＲＰＬＭＮで動作し、その後電源が再び入れられる間に移動局の電源が切れる場合に同様の問題が存在する。そのような従来の動作がＥＴＳＩ仕様３．２２／２３．１２２に記載される。
【００４８】
図５は現在の標準に従って通信ネットワークを選択する方法を一般的に記すフローチャートであり、詳細が現在のＥＴＳＩ仕様３．２２／２３．１２２に記載される。開始ブロック５０２から開始し、移動局は非ホーム通信ネットワーク（たとえば、図４の非ホームネットワーク４０６）で動作する（ステップ５０４）。非ホームネットワークは移動局のホームネットワークではない。ホームネットワークは第１のＭＣＣ／ＭＮＣの対を有し、非ホームネットワークは第１のＭＣＣ／ＭＮＣの対とは異なる第２のＭＣＣ／ＭＮＣの対を有する。移動局が受信不可能範囲状態を経験するする場合（ステップ５０６）、移動局は領域信号受信可能範囲を待機する（ステップ５０８）。代替に、移動局がエンドユーザーによって電源が切られる場合（ステップ５０６）、ユーザー入力信号を電源が回復するのを待機する（ステップ５０８）。移動局がネットワーク信号受信可能範囲を回復するかまたは再び電源が入れられる場合、移動局はスキャニング動作を実行し、その受信可能範囲部分内で利用可能なすべてのネットワークを識別する（ステップ５１０）。利用可能なネットワークは移動局（たとえば、図４のホームネットワーク４０２）のホームネットワークを含み得るかまたは含み得ない。現在の標準を通して、移動局はそれから、先のネットワーク（たとえば、非ホームネットワーク４０６）がスキャニング動作によって識別されたか否かを識別しなければならない（ステップ５１２）。先のネットワークは「Ｒｅｇｉｓｔｅｒｅｄ  ＰＬＭＮ」すなわちＲＰＬＭＮと呼ばれ得る。先のネットワークがステップ５１２で利用可能な場合、移動局は先のネットワークを選択し、動作しなければならない。たとえＨＰＬＭＮがそのときに利用可能であっても、これは事実である。先のネットワークがステップ５１２で使用不可能である場合、移動局はネットワーク選択技術（たとえば、優先順位が決められたネットワークリストに基づいて）を用いて最適なネットワークを選択する（ステップ５１６）。ＲＰＬＭＮで動作し、その後電源がふたたび入れられる間に移動局の電源が切られる場合に同様の問題が存在する。
【００４９】
図６は、ネットワーク信号復帰および／または電源が入れられた後に、ホームネットワーク優先順位を用いて通信ネットワークの「自動」選択のための、本出願の方法を記すフローチャートである。そのような方法は、図１〜図４に関係して示され、上記された装置に関連して用いられ得る。たとえば、ステップは図２のマイクロプロセッサ２３８および通信サブシステム２１１によって実行され得る。
【００５０】
図６の開始ブロック６０２から開始し、移動局は登録し、非ホーム通信ネットワークを動作する（ステップ６０４）（たとえば、図４の非ホームネットワーク４０６）。非ホームネットワークは移動局のホームネットワークではない。ホームネットワークは第１のＭＣＣ／ＭＮＣの対を有し、非ホームネットワークは第１のＭＣＣ／ＭＮＣの対とは異なる第２のＭＣＣ／ＭＮＣの対を有する。移動局がネットワークを用いて受信不可能範囲状態を経験するする場合（ステップ６０６）、移動局は信号受信可能範囲の回復を待機する（ステップ６０８）。代替に、移動局がエンドユーザーによって電源が切られる場合（ステップ６０６）、ユーザー入力信号が回復するのを待機する（ステップ６０８）。移動局がネットワーク信号受信可能範囲を回復するかまたは電源が回復する場合、移動局はスキャニング動作を実行し、その受信可能範囲部分内で利用可能なすべてのネットワークを識別する（ステップ６１０）。利用可能なネットワークは移動局（たとえば、図４のホームネットワーク４０２）のホームネットワークを含み得るかまたは含み得ない。
【００５１】
本出願において、移動局はそれからホームネットワークがスキャニング動作から示されたように利用可能であるか否かを識別する（ステップ６１２）。ホームネットワーク（たとえば、図４のホームネットワーク４０２）が利用可能である場合、移動局は動作のためのホームネットワークを選択し、登録する（ステップ６１４）。このように、ホームネットワークは第１の優先順位を与えられる。ホームネットワークがステップ６１２で使用不可能である場合、移動局は先のネットワーク（たとえば、非ホームネットワーク４０６）がスキャニング動作から示されたように利用可能であるか否かを識別する（ステップ６１６）。先のネットワークは「Ｒｅｇｉｓｔｅｒｅｄ  ＰＬＭＮ」すなわちＲＰＬＭＮと呼ばれ得る。先のネットワークがステップ６１６で利用可能である場合、移動局は先のネットワークで動作を続ける（ステップ６１８）。先のネットワークがステップ６１６で使用不可能である場合、移動局はネットワーク選択技術（たとえば、優先順位が決められたネットワークリスト）を用いて次に「最適な」ネットワークを選択し、登録し、動作する（ステップ６２０）。
【００５２】
このように、上記の方法は、仕様が明確に特定的に扱わない問題に対する解決を提供する。それはすなわちＲＰＬＭＮが移動局のＨＰＬＭＮでない状態である。ＲＰＬＭＮがＨＰＬＭＮではない場合、ＨＰＬＭＮが受信不可能範囲の状態から回復後または電源が入れられた後に、標準は、移動局は非ホームＲＰＬＭＮ（利用可能であれば）の選択に制限されるということを特定する。
【００５３】
図７は、本出願のネットワーク信号が回復しおよび／または電源が入れられる後で、ホームネットワーク優先順位を用いて通信ネットワークの「手動」選択のための方法を記すフローチャートである。そのような方法は図１〜図４に関して示され、上記された装置に関連して用いられ得る。たとえば、ステップは図２のマイクロプロセッサ２３８および通信サブシステム２１１によって実行され得る。この方法は、図６の方法を実行する装置と同じ装置において実行されることが好ましい。
【００５４】
図７の開始ブロック７０２から開始し、ユーザーインタフェースを介してエンドユーザーが非ホーム通信ネットワーク（たとえば、図４の非ホームネットワーク４０６）を手動選択した後に、移動局は非ホーム通信ネットワークで動作する（ステップ７０４）。非ホームネットワークは移動局のホームネットワークではない。ホームネットワークは第１のＭＣＣ／ＭＮＣの対を有し、非ホームネットワークは第１のＭＣＣ／ＭＮＣの対とは異なる第２のＭＣＣ／ＭＮＣの対を有する。移動局がネットワークを用いて受信不可能範囲状態を経験するする場合（ステップ７０６）、移動局は領域信号受信可能範囲を待機する（ステップ７０８）。代替に、移動局がエンドユーザーによって電源が切られる場合（ステップ７０６）、ユーザー入力信号が回復するのを待機する（ステップ７０８）。移動局がネットワーク信号受信可能範囲を回復するかまたは再び電源が入れられる場合、移動局はスキャニング動作を実行し、その受信可能範囲部分内で利用可能なすべてのネットワークを識別する（ステップ７１０）。利用可能なネットワークは移動局（たとえば、図４のホームネットワーク４０２）のホームネットワークを含み得るかまたは含み得ない。
【００５５】
移動局は、先の手動で選択された非ホームネットワーク（たとえば、図４の非ホームネットワーク４０６）がスキャニング動作から示されたように利用可能であるか否かを識別する（ステップ７１２）。この先のネットワークは「Ｒｅｇｉｓｔｅｒｅｄ  ＰＬＭＮ」すなわちＲＰＬＭＮと呼ばれ得る。先の手動で選択された非ホームネットワークがステップ７１２で利用可能である場合、移動局はホームネットワーク（たとえば、図４のホームネットワーク４０２）がスキャニング動作から示されたように利用可能であるか否かを識別する（ステップ７１４）。ホームネットワークがステップ７１４で利用不可能である場合、移動局は先の手動で選択された非ホームネットワークで動作を続ける（ステップ７１６）。
【００５６】
ホームネットワークがステップ７１４において識別されたように利用可能である場合、移動局は、エンドユーザーによってホームネットワークの手動選択のために視覚入力プロンプトが視覚ディスプレイに示されるようにする（ステップ７１８）。たとえば、視覚入力プロンプトは「ホームネットワークの選択？ＹＥＳまたはＮＯ」を読み取り得る。移動局はユーザーインタフェースからの可聴警告の音をさらに引き起こし得る。ステップ７１８においてエンドユーザーが手動でホームネットワークを選択する場合（「Ｙｅｓ」）、移動局はホームネットワークを登録し、動作する（ステップ７２０）。ユーザー入力が受信されず、代わりに所定の時間切れがステップ７１８で発生する（「タイムアウト」）かまたはエンドユーザーがステップ７１８でホームネットワークの利用を望まない場合（「Ｎｏ」）、移動局は先の手動で選択された非ホームネットワークを選択し、登録し、動作する（ステップ７１６）。
【００５７】
先の手動で選択された非ホームネットワークがステップ７１２において使用不可能である場合、移動局は、ホームネットワーク（たとえば、図４のホームネットワーク４０２）がスキャニング動作から示されるように利用可能であるか否かを識別する（ステップ７２２）。ホームネットワークがステップ７２２で識別されたように利用可能である場合、移動局は、エンドユーザーによってホームネットワークの手動選択のために視覚入力プロンプトが視覚ディスプレイに示されるようにする（ステップ７２４）。たとえば、視覚入力プロンプトは「ホームネットワークの選択？ＹＥＳまたはＮＯ」を読み取り得る。移動局はユーザーインタフェースからの可聴警告の音をさらに引き起こし得る。ステップ７２４においてエンドユーザーが手動でホームネットワークを選択する場合（「Ｙｅｓ」）、移動局はホームネットワークを登録し、動作する（ステップ７２６）。ユーザー入力が受信されず、代わりに所定の時間切れがステップ７２４で発生する場合（「タイムアウト」）、移動局はホームネットワークを選択し、登録し、動作する（ステップ７２６）。
【００５８】
ホームネットワークがステップ７２２で識別されたように使用不可能である場合、移動局はエンドユーザーによる手動選択のため、すべての利用可能なネットワークのリストを表示させる（ステップ７２８）。ステップ７２８においてエンドユーザーがすべての利用可能なネットワークの示されたリストにおいてネットワークを選択する場合（「選択」）、移動局は手動で選択されたネットワークを登録し、動作する（ステップ７３０）。ユーザー入力が受信されず、代わりに所定の時間切れがステップ７２８で発生する場合（「タイムアウト」）、移動局は緊急サービスのみを提供する任意のネットワークを選択し、登録し、動作する（つまり、「９１１」通話のような緊急サービス以外に、音声およびデータ通信サービスを含めてサービスがない）（ステップ７３２）。
【００５９】
図７において有利に、エンドユーザーによって選択される手動選択モードにおいてさえ、移動局はタイムリーにまた目立たずに、エンドユーザーにホームネットワークの最近の可用性を認識させる。全体的に、移動局は手動選択モードにおいてさえ、エンドユーザーに最適なネットワーク選択を容易にするのに役立つ。
【００６０】
最後の解説である。ネットワーク信号回復および／または電源入力後の、ホームネットワーク優先順位を用いるネットワーク選択方法および装置が記載されてきた。自動ネットワーク選択に関与する一実施例において、移動局は非ホーム通信ネットワークを選択し、動作する。移動局はそれから受信不可能範囲状態（またはパワーダウン状態）を経験するが、その後、信号受信可能範囲を回復（または電源回復）する。それに応じて、移動局は、その受信可能範囲部分における複数の通信ネットワークを識別するためにスキャンする。ホーム通信ネットワーク（たとえば、ＨＰＬＭＮ）が利用可能であると識別される場合、移動局はホーム通信ネットワークを選択し、動作する。さもなくば、先の非ホーム通信ネットワーク（たとえば、ＲＰＬＭＮ）が利用可能であると識別される場合、移動局は先の非ホーム通信ネットワークでの動作を続ける。
【００６１】
本出願の「自動」ネットワーク選択技術を有する移動局は、無線送受信装置、無線送受信装置に結合しているアンテナ、無線送受信装置に結合している１つ以上のプロセッサを含む。１つ以上のプロセッサは通信ネットワークを選択するように構成され、通信ネットワークを選択し、動作することで通信し、通信ネットワークを用いて受信不可能範囲状態から信号受信可能範囲を回復した後、または電源オフ状態から電源オンの後で、次のような動作を実行させる：移動局が動作する受信可能範囲部分において複数の通信ネットワークを識別するためにスキャニングする；それは、ホーム通信ネットワークのスキャニング、選択、動作によって、移動局のホーム通信ネットワークが利用可能であると識別される場合；さもなければ、通信ネットワークのスキャニング、連続の動作によって通信ネットワークが利用可能であると識別される場合である。
【００６２】
本出願の「自動」ネットワーク選択技術を有する通信システムは、第１の通信ネットワーク、第２の通信ネットワーク、第１および第２の通信ネットワークと動作可能な１つ以上の移動局を含む。１つ以上の移動局は、ホーム通信ネットワークと指定される第２の通信ネットワークを有する。１つ以上の移動局は、第１の通信ネットワークの選択および動作のために動作可能であり、第１の通信ネットワークを用いて受信不可能範囲状態から信号受信可能範囲を回復した後、または電源オフ状態から電源オンの後で、次のようなアクト（ａｃｔ）を実行させる：移動局が動作する受信可能範囲部分において複数の通信ネットワークを識別するためにスキャニングする；それは、ホーム通信ネットワークのスキャニング、選択、動作によって、移動局のホーム通信ネットワークが利用可能であると識別される場合；さもなければ、通信ネットワークのスキャニング、連続の動作によって、第１の通信ネットワークが利用可能であると識別される場合においてである。
【００６３】
手動ネットワーク選択モードにおいて、移動局が動作する通信ネットワークを手動で選択するためにユーザーインタフェースからのユーザー入力が受信される。受信不可能範囲状態からネットワーク信号受信可能範囲を回復した後、または電源オフ状態から電源オンの後、移動局は受信可能範囲部分において複数の通信ネットワークを識別するためにスキャンする。スキャニングによって識別されるように、先の手動で選択されたネットワーク（たとえば、ＲＰＬＭＮ）は利用可能であるが、ホームネットワークは利用不可能である場合、移動局は先の手動で選択されたネットワークでの動作を続ける。しかしながら、スキャニングによって、ホーム通信ネットワーク（たとえば、ＨＰＬＭＮ）が利用可能であると識別される場合、移動局は、ホームネットワークの手動選択のために視覚入力プロンプトを表示させる。
【００６４】
本出願の「手動」ネットワーク選択技術を有する移動局は、ユーザーインタフェース、無線送受信装置、無線送受信装置に結合されるアンテナ、無線送受信装置に結合される１つ以上のプロセッサを含む。移動局に手動で通信ネットワークを選択するために、ユーザーインタフェースからのユーザー入力を受信することによって通信ネットワークの選択を提供するために１つ以上のプロセッサが構成され；ユーザー入力に対応して、手動で選択された通信ネットワークを選択、動作し；手動で選択された通信ネットワークを用いて受信不可能範囲状態から信号受信可能範囲を回復した後、または電源オフ状態から電源オンの後で、次のようなアクトを実行させる：移動局が動作する受信可能範囲部分において複数の通信ネットワークを識別するためにスキャニングする；スキャニングから識別されるように、通信ネットワークは利用可能であるがホーム通信ネットワークは利用不可能である場合：通信ネットワークとの動作を続け；スキャニングから識別されるように、移動局のホーム通信ネットワークが利用可能である場合：ホーム通信ネットワークを手動で選択するために視覚入力プロンプトを表示させる。
【００６５】
本出願の「手動」ネットワーク選択技術を有する通信システムは、第１の通信ネットワーク、第２の通信ネットワーク、第１および第２の通信ネットワークと動作可能な１つ以上の移動局を含む。１つ以上の移動局は、ホーム通信ネットワークと指定された第２の通信ネットワークを有する。１つ以上の移動局は、動作のため、第１の通信ネットワークを手動で選択するために、移動局のユーザーインタフェースからのユーザー入力を受信するために動作し；ユーザー入力に対応して第１の通信ネットワークを選択し、動作して；第１の通信ネットワークを用いて受信不可能範囲状態から信号受信可能範囲を回復した後、または電源オフ状態から電源オンの後で、次のようなアクトを実行させる：移動局が動作する受信可能範囲部分において複数の通信ネットワークを識別するためにスキャニングし；スキャニングから識別されるように、通信ネットワークは利用可能であるが第２の通信ネットワークは利用不可能である場合：第１の通信ネットワークとの動作を続け；スキャニングから識別されるように、移動局の第２の通信ネットワークが利用可能である場合：第２の通信ネットワークを手動で選択するために視覚入力プロンプトを表示させる。
【００６６】
発明の上記の実施形態は例のみを意図する。代替、修正、変更は、添付の請求項によってもっぱら規定される発明の範囲から逸脱することなく、当業者によって特定の実施形態にもたらされ得る。
【産業上の利用可能性】
【００６７】
本発明は、ネットワーク信号回復および／または電源入力の後に、ホームネットワーク優先順位を有するネットワーク選択方法および装置を提供する。
【図面の簡単な説明】
【００６８】
【図１】無線通信ネットワークにおいて、通信のための移動局を含む通信システムのブロック図である。
【図２】無線通信ネットワークにおいて用いられる移動局の詳細な例である。
【図３】移動局と通信するシステムの特定の構成である。
【図４】移動局のホームネットワークが利用可能とされる間に、非ホーム通信ネットワークを現在、登録し、それを介して通信する移動局の図解である。
【図５】現在の標準に従って、通信ネットワークを選択する方法を記載するフローチャートである。
【図６】ネットワーク信号回復および／または電源入力後にホームネットワーク優先順位を用いて、通信ネットワークの「自動」選択の方法を記載するフローチャートである。
【図７】ネットワーク信号回復および／または電源入力後にホームネットワーク優先順位を用いて、通信の「手動」選択の方法を記載するフローチャートである。
【図１】
0004451395.tif 000002
【図２】
0004451395.tif 000003
【図３】
0004451395.tif 000004
【図４】
0004451395.tif 000005
【図５】
0004451395.tif 000006
【図６】
0004451395.tif 000007
【図７】
0004451395.tif 000008